(57)【要約】【課題】付加的部品が脱落しないよう安定的に固定できる付加的部品収納装置を実現する。【解決手段】機器内に付加的部品を収納する付加的部品収納装置において、機器の板状の構成部品の板面に底部が平行に設けられ付加的部品が挿入される凹状の付加的部品挿入部と、前記付加的部品挿入部に隣接して設けられ前記付加的部品挿入部に挿入された付加的部品が前記構成部品の板面に平行にスライドして収納される付加的部品収納部と、前記機器の板状の構成部品に設けられ前記付加的部品収納部に配置された前記付加的部品が脱落しないように保持する保持手段とを具備したことを特徴とする付加的部品収納装置である。【選択図】図１
2010199263.tif 000002
【特許請求の範囲】
【請求項１】
機器内に付加的部品を収納する付加的部品収納装置において、
機器の板状の構成部品の板面に底部が平行に設けられ付加的部品が挿入される凹状の付加的部品挿入部と、
前記付加的部品挿入部に隣接して設けられ前記付加的部品挿入部に挿入された付加的部品が前記構成部品の板面に平行にスライドして収納される付加的部品収納部と、
前記機器の板状の構成部品に設けられ前記付加的部品収納部に配置された前記付加的部品が脱落しないように保持する保持手段と
を具備したことを特徴とする付加的部品収納装置。
【請求項２】
前記保持手段は、前記機器の板状の構成部品に一端が接続され他端が前記付加的部品を押圧する保持用爪
を具備したことを特徴とする請求項１記載の付加的部品収納装置。
【請求項３】
前記保持用爪は、前記機器の板状の構成部品から打ち出して形成されたように形成されたこと
を特徴とする請求項２記載の付加的部品収納装置。
【発明の詳細な説明】
【技術分野】
【０００１】
本発明は、付加的部品収納装置に関するものである。
更に詳述すれば、例えば、機器に付加される、例えば、短絡用部品等を保持し、脱落を防止するための付加的部品収納装置に関するものである。
【背景技術】
【０００２】
図６は従来より一般に使用されている従来例の要部構成説明図、図７は図６の要部構成説明図である。
図において、機器のカバー１に設けられたジャンパホルダ２である。
ジャンパホルダ２は、図７に示す如く、樹脂筐体の内部に、機器内部で使用するための、短絡用部品３を保持するための勾配をもった溝を有する。
短絡部品３は、図７に矢印ａで示す如くジャンパホルダ２に挿入固定される。
【先行技術文献】
【特許文献】
【０００３】
【特許文献１】特開２００７−１４９９７９号公報
【非特許文献１】横河電機株式会社発行、User's  Manual、「PH450Ｇ  ｐH／ORP変換機  スタイル：S2」，2008年7月  2版、Ｐ3-11
【発明の概要】
【発明が解決しようとする課題】
【０００４】
このような装置においては、以下の問題点がある。
構造上、輸送時等に機器全体へ振動が加わった場合、短絡用部品が機器内部に脱落する可能性がある。
【０００５】
本発明の目的は、上記の課題を解決するもので、付加的部品を未使用時は保持し、輸送時等、振動が加わった場合にも、付加的部品が脱落しないよう安定的に固定できる付加的部品収納装置を提供することにある。
【課題を解決するための手段】
【０００６】
このような課題を達成するために、本発明では、請求項１の付加的部品収納装置においては、
機器内に付加的部品を収納する付加的部品収納装置において、機器の板状の構成部品の板面に底部が平行に設けられ付加的部品が挿入される凹状の付加的部品挿入部と、前記付加的部品挿入部に隣接して設けられ前記付加的部品挿入部に挿入された付加的部品が前記構成部品の板面に平行にスライドして収納される付加的部品収納部と、前記機器の板状の構成部品に設けられ前記付加的部品収納部に配置された前記付加的部品が脱落しないように保持する保持手段とを具備したことを特徴とする。
【０００７】
本発明の請求項２の付加的部品収納装置においては、請求項１記載の付加的部品収納装置において、
前記保持手段は、前記機器の板状の構成部品に一端が接続され他端が前記付加的部品を押圧する保持用爪を具備したことを特徴とする。
【０００８】
本発明の請求項３の付加的部品収納装置においては、請求項２記載の付加的部品収納装置において、
前記保持用爪は、前記機器の板状の構成部品から打ち出して形成されたように形成されたことを特徴とする。
【発明の効果】
【０００９】
本発明の請求項１によれば、次のような効果がある。
機器の板状の構成部品を利用して、特別な部品を用いずに、機器内部で客先の要望に応じて使用する付加的部品を、確実に保持でき、耐振性が向上された付加的部品収納装置が得られる。
【００１０】
本発明の請求項２によれば、次のような効果がある。
保持手段は、機器の板状の構成部品に一端が接続され、他端が付加的部品を押圧する保持用爪が設けられたので、簡潔に構成でき、安価な付加的部品収納装置が得られる。
【００１１】
本発明の請求項３によれば、次のような効果がある。
保持用爪は、機器の板状の構成部品から打ち出して形成されたように形成されたので、機器の板状の構成部品をモールド成型により容易に形成でき、製作コストが低減できる付加的部品収納装置が得られる。
【図面の簡単な説明】
【００１２】
【図１】本発明の一実施例の要部構成説明図である。
【図２】図１のＡ−Ａ断面図である。
【図３】図１の動作説明図である。
【図４】本発明の他の実施例の要部構成説明図である。
【図５】図４の動作説明図である。
【図６】従来より一般に使用されている従来例の要部構成説明図である。
【図７】図６の要部構成説明図である。
【発明を実施するための形態】
【００１３】
以下本発明を図面を用いて詳細に説明する。
図１は本発明の一実施例の要部構成説明図、図２は図１のＡ−Ａ断面図、図３は図１の動作説明図である。
図において、図６と同一記号の構成は同一機能を表す。
以下、図６との相違部分のみ説明する。
【００１４】
図１において、付加的部品挿入部１２は、機器の板状の構成部品１１の板面に底部１２１が平行に設けられ付加的部品Ａが挿入され、凹状をなす。
この場合は、付加的部品Ａとして短絡用部品が示されている。
【００１５】
付加的部品収納部１３は、付加的部品挿入部１２に隣接して設けられ、付加的部品挿入部１２に挿入された付加的部品Ａが、図１の矢印ｂに示す如く、構成部品１１の板面に平行にスライドして収納される。
保持手段１４は、機器の板状の構成部品１１に設けられ、付加的部品収納部１３に配置された付加的部品Ａが脱落しないように保持する。
【００１６】
この場合は、保持手段１４は、機器の板状の構成部品１１に一端が接続され、他端が前記付加的部品を、図３の矢印ｃに示す如く押圧する保持用爪が使用されている。
また、この場合は、保持用爪１４は、機器の板状の構成部品１１から打ち出して形成されたように形成されている。
【００１７】
以上の構成において、付加的部品Ａは、収納時には、図３の矢印ｄに示す如く、付加的部品挿入部１２に挿入され、図３の矢印ｂに示す如く、付加的部品収納部１３へスライドして収納され、保持手段１４により保持される。
付加的部品Ａの取出し時には、上記と逆の動作が行われる。
【００１８】
この結果、機器の板状の構成部品１１を利用して、特別な部品を用いずに、機器内部で客先の要望に応じて使用する付加的部品Ａを、確実に保持でき、耐振性が向上された付加的部品収納装置が得られる。
【００１９】
保持手段１４は、機器の板状の構成部品１１に一端が接続され、他端が付加的部品を押圧する保持用爪が設けられたので、簡潔に構成でき、安価な付加的部品収納装置が得られる。
【００２０】
保持用爪１４は、機器の板状の構成部品１１から打ち出して形成されたように形成されたので、機器の板状の構成部品１１をモールド成型により容易に形成でき、製作コストが低減できる付加的部品収納装置が得られる。
【００２１】
図４は本発明の他の実施例の要部構成説明図、図５は図４の動作説明図である。
本実施例においては、付加的部品Ａが４個収納できる付加的部品収納装置を示す。
保持用爪１４ごとに，１個の付加的部品Ａが保持される。
【００２２】
以上の構成において、付加的部品Ａは、収納時には、図５の矢印ｅに示す如く、付加的部品挿入部１２に挿入され、図３の矢印ｆに示す如く、付加的部品収納部１３へスライドして収納され、保持手段１４により保持される。
【００２３】
この結果、付加的部品収納部１３と保持用爪１４とを、必要に応じて増設することにより、所要個数の付加的部品Ａを容易に収納できる付加的部品収納装置が得られる。
【００２４】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２５】
１      カバー
２      ジャンパホルダ
３      短絡用部品
４      溝
１１    機器の板状の構成部品
１２    付加的部品挿入部
１２１  底部
１３    付加的部品収納部
１４    保持手段
１４    保持用爪
Ａ      付加的部品
【図１】
2010199263.tif 000003
【図２】
2010199263.tif 000004
【図３】
2010199263.tif 000005
【図４】
2010199263.tif 000006
【図５】
2010199263.tif 000007
【図６】
2010199263.tif 000008
【図７】
2010199263.tif 000009